(57)【要約】【課題】本発明は断熱手袋の出し入れ装置を開示した。【解決手段】保存器を含み、前記保存器の中には感応機構が設置され、前記感応機構の下側には挟み機構が設置され、前記挟み機構が鉄ブロックと挟みバーを含み、前記電気磁石が通電し前記鉄ブロックを吸い上昇させることができ、これにより前記挟みバーを駆動し互いに近づかせ、前記挟み機構の右側には防護機構が設置され、本装置は構造が簡単で、操作が便利であり、使い終わったばかりの高い温度がある外表面を持つ断熱手袋を外し、また保存と温度を下げることに便利であり、使用者の安全を保証すると同時に、断熱手袋が快速に使われ続けることができ、作業効率を高める。【選択図】図１
2020176358.tif 000002
【特許請求の範囲】
【請求項１】
保存器を含み、前記保存器の中には感応機構が設置され、前記感応機構が電池、熱伝導ブロック、大コンセント及び大プラグを含み、前記電池が装置の電源として装置に電気を提供し、前記熱伝導ブロックが熱を伝導することができ、これにより前記大プラグを駆動し前記大コンセントに插入して通電させ、前記感応機構がまた電線を含み、前記電線が装置内の電流を伝導することができ、前記感応機構がまた電気磁石を含み、前記感応機構の下側には挟み機構が設置され、前記挟み機構が鉄ブロックと挟みバーを含み、前記電気磁石が通電し前記鉄ブロックを吸い上昇させることができ、これにより前記挟みバーを駆動し互いに近づかせ、前記挟み機構の右側には防護機構が設置され、前記防護機構が插入溝と插入穴を含み、前記插入溝と前記插入穴との係合により装置の高さを調整できることを特徴とする断熱手袋の出し入れ装置。
【請求項２】
前記感応機構は縦バーを含み、前記保存器の中には温度溝が設置され、前記温度溝の上端壁の中には台形溝が設置され、前記温度溝の右端壁には熱伝導ブロックが嵌めて設置され、前記温度溝の中には密封ブロックがスライドできるように設置され、前記密封ブロックの上端面には縦バーが固定され、前記縦バーの上端面の中には弾性溝が設置され、前記弾性溝の下端壁には弾性ばねが固定され、前記弾性ばねの上端には弾性ブロックが固定され、前記台形溝の後端壁には縦溝が設置され、前記縦溝の中には縦ブロックが設置され、前記縦溝の中にある縦ブロックの下端面には下端が前記縦溝の下端壁と固定的に連結される縦ばねが左右に対称的に固定的に連結され、前記縦ブロックの前端面には大プラグが固定され、
また、前記大プラグの上側には前記台形溝の後端壁と固定される電池が設置され、前記電池の下端面の中には大コンセントが設置され、前記大プラグの右側には前記台形溝と固定される電気磁石が設置され、前記電気磁石と前記大プラグとが電線により連通しており、前記台形溝の後端壁にはコンセントが固定され、前記コンセントと前記電気磁石とが電線により連通しており、前記コンセントの下端面の中には通電穴が設置され、前記台形溝の後端壁には弾力溝が設置され、前記弾力溝の下端壁には弾力ばねが固定され、前記弾力ばねの上端には前記弾力溝とスライドできる弾力ブロックが固定され、前記弾力ブロックの前端面には小プラグが固定され、前記台形溝の下端壁には前記小プラグと前記電線により連結される駆動モータが固定され、前記台形溝の下端壁の中にはブロー溝が設置され、前記駆動モータの下端面には下端が前記ブロー溝の中に位置しているブロー軸が動力が伝達できるように連結され、前記ブロー軸にはファンが固定されることを特徴とする請求項１に記載の断熱手袋の出し入れ装置。
【請求項３】
前記防護機構は插入溝を含み、前記保存器の下端面には支持バーが固定され、前記支持バーの外端には延長ロッドがスライドできるように設置され、前記支持バーの中には四つの插入穴が設置され、前記延長ロッドの中には插入溝が設置され、前記插入溝の中にはロックブロックがスライドできるように設置され、前記台形溝の後端壁には定位軸が回転できるように設置され、前記定位軸には水平バーが固定的に設置され、前記台形溝の下端壁には昇降溝が設置され、前記昇降溝の左端壁には移動溝が設置され、前記移動溝の中には移動ブロックがスライドできるように設置され、前記移動ブロックの右端が前記昇降溝の中に位置し、かつ前記移動ブロックの右端には長バーが固定され、前記長バーの上端が前記台形溝の中に位置していることを特徴とする請求項１に記載の断熱手袋の出し入れ装置。
【請求項４】
前記挟み機構は挟みバーを含み、前記温度溝の右端壁の中には置き溝が設置され、前記置き溝と前記台形溝とが広溝により連通しており、前記台形溝の後端壁には磁性溝が設置され、前記磁性溝の中には運動ブロックがスライドできるように設置され、前記運動ブロックの前端面には鉄ブロックが固定され、前記鉄ブロックの右端面には四つの定位バーが均一に固定的に設置され、前記定位バーには斜めバーが回転できるように設置され、前記斜めバーの中には伝動軸が回転できるように設置され、前記置き溝の下端壁には四つの運動溝が均一に設置され、前記運動溝の中には横向きブロックがスライドできるように設置され、前記横向きブロックと前記運動溝の片側端壁とが挟みばねにより固定的に連結され、前記横向きブロックの上端面には上端が前記伝動軸と回転する挟みバーが固定されることを特徴とする請求項１に記載の断熱手袋の出し入れ装置。
【発明の詳細な説明】
【技術分野】
【０００１】
本発明は手袋分野を取り上げて、具体的には断熱手袋の出し入れ装置である。
【背景技術】
【０００２】
断熱手袋は高温作業に使用される手袋であり、熱を防ぎ両手を保護する作用があり、しかし既存の断熱手袋の出し入れが面倒であり、その表面の温度が高く、直ちに外せば作業者に傷害を与える可能性があり、時間を無駄にする。
【先行技術文献】
【特許文献】
【０００３】
【特許文献１】中国特許出願公開第１０６０４４０３９号明細書
【発明の概要】
【発明が解決しようとする課題】
【０００４】
本発明の目的は断熱手袋の出し入れ装置を提供し、上記の現在の技術中の問題を解決するのである。
【課題を解決するための手段】
【０００５】
上記の課題を解決するため、本発明は以下の技術プランを採用する：断熱手袋の出し入れ装置は、保存器を含み、前記保存器の中には感応機構が設置され、前記感応機構が電池、熱伝導ブロック、大コンセント及び大プラグを含み、前記電池が装置の電源として装置に電気を提供し、前記熱伝導ブロックが熱を伝導することができ、これにより前記大プラグを駆動し前記大コンセントに插入して通電させ、前記感応機構がまた電線を含み、前記電線が装置内の電流を伝導することができ、前記感応機構がまた電気磁石を含み、前記感応機構の下側には挟み機構が設置され、前記挟み機構が鉄ブロックと挟みバーを含み、前記電気磁石が通電し前記鉄ブロックを吸い上昇させることができ、これにより前記挟みバーを駆動し互いに近づかせ、前記挟み機構の右側には防護機構が設置され、前記防護機構が插入溝と插入穴を含み、前記插入溝と前記插入穴との係合により装置の高さを調整できる。
【０００６】
優選的には、前記感応機構は縦バーを含み、前記保存器の中には温度溝が設置され、前記温度溝の上端壁の中には台形溝が設置され、前記温度溝の右端壁には熱伝導ブロックが嵌めて設置され、前記温度溝の中には密封ブロックがスライドできるように設置され、前記密封ブロックの上端面には縦バーが固定され、前記縦バーの上端面の中には弾性溝が設置され、前記弾性溝の下端壁には弾性ばねが固定され、前記弾性ばねの上端には弾性ブロックが固定され、前記台形溝の後端壁には縦溝が設置され、前記縦溝の中には縦ブロックが設置され、前記縦溝の中にある縦ブロックの下端面には下端が前記縦溝の下端壁と固定的に連結される縦ばねが左右に対称的に固定的に連結され、前記縦ブロックの前端面には大プラグが固定される。
【０００７】
また、前記大プラグの上側には前記台形溝の後端壁と固定される電池が設置され、前記電池の下端面の中には大コンセントが設置され、前記大プラグの右側には前記台形溝と固定される電気磁石が設置され、前記電気磁石と前記大プラグとが電線により連通しており、前記台形溝の後端壁にはコンセントが固定され、前記コンセントと前記電気磁石とが電線により連通しており、前記コンセントの下端面の中には通電穴が設置され、前記台形溝の後端壁には弾力溝が設置され、前記弾力溝の下端壁には弾力ばねが固定され、前記弾力ばねの上端には前記弾力溝とスライドできる弾力ブロックが固定され、前記弾力ブロックの前端面には小プラグが固定され、前記台形溝の下端壁には前記小プラグと前記電線により連結される駆動モータが固定され、前記台形溝の下端壁の中にはブロー溝が設置され、前記駆動モータの下端面には下端が前記ブロー溝の中に位置しているブロー軸が動力が伝達できるように連結され、前記ブロー軸にはファンが固定される。
【０００８】
優選的には、前記防護機構は插入溝を含み、前記保存器の下端面には支持バーが固定され、前記支持バーの外端には延長ロッドがスライドできるように設置され、前記支持バーの中には四つの插入穴が設置され、前記延長ロッドの中には插入溝が設置され、前記插入溝の中にはロックブロックがスライドできるように設置され、前記台形溝の後端壁には定位軸が回転できるように設置され、前記定位軸には水平バーが固定的に設置され、前記台形溝の下端壁には昇降溝が設置され、前記昇降溝の左端壁には移動溝が設置され、前記移動溝の中には移動ブロックがスライドできるように設置され、前記移動ブロックの右端が前記昇降溝の中に位置し、かつ前記移動ブロックの右端には長バーが固定され、前記長バーの上端が前記台形溝の中に位置している。
【０００９】
優選的には、前記挟み機構は挟みバーを含み、前記温度溝の右端壁の中には置き溝が設置され、前記置き溝と前記台形溝とが広溝により連通しており、前記台形溝の後端壁には磁性溝が設置され、前記磁性溝の中には運動ブロックがスライドできるように設置され、前記運動ブロックの前端面には鉄ブロックが固定され、前記鉄ブロックの右端面には四つの定位バーが均一に固定的に設置され、前記定位バーには斜めバーが回転できるように設置され、前記斜めバーの中には伝動軸が回転できるように設置され、前記置き溝の下端壁には四つの運動溝が均一に設置され、前記運動溝の中には横向きブロックがスライドできるように設置され、前記横向きブロックと前記運動溝の片側端壁とが挟みばねにより固定的に連結され、前記横向きブロックの上端面には上端が前記伝動軸と回転する挟みバーが固定される。
【発明の効果】
【００１０】
本発明の有益的な効果は：本装置は構造が簡単で、操作が便利であり、使い終わったばかりの高い温度がある外表面を持つ断熱手袋を外し、また保存と温度を下げることに便利であり、使用者の安全を保証すると同時に、断熱手袋が快速に使われ続けることができ、作業効率を高める。
【図面の簡単な説明】
【００１１】
下記に図１−３をあわせて本発明について詳しく説明し、便利に説明するために、下記の方向を以下のように規定する：以下に述べる上下左右前後の方向と図１の自身投影関係の上下左右前後の方向とが一致である。
【００１２】
【図１】図１は本発明の断熱手袋の出し入れ装置の全体全断面の正面構造概略図
【図２】図２は本発明の断熱手袋の出し入れ装置の小プラグの拡大構造概略図
【図３】図３は本発明の断熱手袋の出し入れ装置の横向きブロックの右面断面構造概略図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
図１−３に示すように、本発明の断熱手袋の出し入れ装置は、保存器１０を含み、前記保存器１０の中には感応機構７０が設置され、前記感応機構７０が電池２７、熱伝導ブロック５０、大コンセント２６及び大プラグ２３を含み、前記電池２７が装置の電源として装置に電気を提供し、前記熱伝導ブロック５０が熱を伝導することができ、これにより前記大プラグ２３を駆動し前記大コンセント２６に插入して通電させ、前記感応機構７０がまた電線２８を含み、前記電線２８が装置内の電流を伝導することができ、前記感応機構７０がまた電気磁石３２を含み、前記感応機構７０の下側には挟み機構７２が設置され、前記挟み機構７２が鉄ブロック１８と挟みバー１２を含み、前記電気磁石３２が通電し前記鉄ブロック１８を吸い上昇させることができ、これにより前記挟みバー１２を駆動し互いに近づかせ、前記挟み機構７２の右側には防護機構７１が設置され、前記防護機構７１が插入溝４７と插入穴４４を含み、前記插入溝４７と前記插入穴４４との係合により装置の高さを調整できる。
【００１５】
有益的には、前記感応機構７０は縦バー１４を含み、前記保存器１０の中には温度溝１１が設置され、前記温度溝１１の上端壁の中には台形溝３１が設置され、前記温度溝１１の右端壁には熱伝導ブロック５０が嵌めて設置され、前記温度溝１１の中には密封ブロック１３がスライドできるように設置され、前記密封ブロック１３の上端面には縦バー１４が固定され、前記縦バー１４の上端面の中には弾性溝１９が設置され、前記弾性溝１９の下端壁には弾性ばね２０が固定され、前記弾性ばね２０の上端には弾性ブロック２１が固定され、前記台形溝３１の後端壁には縦溝２５が設置され、前記縦溝２５の中には縦ブロック２４が設置され、前記縦溝２５の中にある縦ブロック２４の下端面には下端が前記縦溝２５の下端壁と固定的に連結される縦ばね２２が左右に対称的に固定的に連結され、前記縦ブロック２４の前端面には大プラグ２３が固定される。
【００１６】
また、前記大プラグ２３の上側には前記台形溝３１の後端壁と固定される電池２７が設置され、前記電池２７の下端面の中には大コンセント２６が設置され、前記大プラグ２３の右側には前記台形溝３１と固定される電気磁石３２が設置され、前記電気磁石３２と前記大プラグ２３とが電線２８により連通しており、前記台形溝３１の後端壁にはコンセント５２が固定され、前記コンセント５２と前記電気磁石３２とが電線２８により連通しており、前記コンセント５２の下端面の中には通電穴５１が設置され、前記台形溝３１の後端壁には弾力溝５９が設置され、前記弾力溝５９の下端壁には弾力ばね５７が固定され、前記弾力ばね５７の上端には前記弾力溝５９とスライドできる弾力ブロック３４が固定され、前記弾力ブロック３４の前端面には小プラグ３５が固定され、前記台形溝３１の下端壁には前記小プラグ３５と前記電線２８により連結される駆動モータ５６が固定され、前記台形溝３１の下端壁の中にはブロー溝３９が設置され、前記駆動モータ５６の下端面には下端が前記ブロー溝３９の中に位置しているブロー軸５５が動力が伝達できるように連結され、前記ブロー軸５５にはファン４０が固定される。
【００１７】
有益的には、前記防護機構７１は插入溝４７を含み、前記保存器１０の下端面には支持バー４３が固定され、前記支持バー４３の外端には延長ロッド４５がスライドできるように設置され、前記支持バー４３の中には四つの插入穴４４が設置され、前記延長ロッド４５の中には插入溝４７が設置され、前記插入溝４７の中にはロックブロック４６がスライドできるように設置され、前記台形溝３１の後端壁には定位軸５４が回転できるように設置され、前記定位軸５４には水平バー５３が固定的に設置され、前記台形溝３１の下端壁には昇降溝３８が設置され、前記昇降溝３８の左端壁には移動溝３６が設置され、前記移動溝３６の中には移動ブロック３７がスライドできるように設置され、前記移動ブロック３７の右端が前記昇降溝３８の中に位置し、かつ前記移動ブロック３７の右端には長バー４１が固定され、前記長バー４１の上端が前記台形溝３１の中に位置している。
【００１８】
有益的には、前記挟み機構７２は挟みバー１２を含み、前記温度溝１１の右端壁の中には置き溝４２が設置され、前記置き溝４２と前記台形溝３１とが広溝１５により連通しており、前記台形溝３１の後端壁には磁性溝３０が設置され、前記磁性溝３０の中には運動ブロック２９がスライドできるように設置され、前記運動ブロック２９の前端面には鉄ブロック１８が固定され、前記鉄ブロック１８の右端面には四つの定位バー１７が均一に固定的に設置され、前記定位バー１７には斜めバー３３が回転できるように設置され、前記斜めバー３３の中には伝動軸１６が回転できるように設置され、前記置き溝４２の下端壁には四つの運動溝４９が均一に設置され、前記運動溝４９の中には横向きブロック４８がスライドできるように設置され、前記横向きブロック４８と前記運動溝４９の片側端壁とが挟みばね５８により固定的に連結され、前記横向きブロック４８の上端面には上端が前記伝動軸１６と回転する挟みバー１２が固定される。
【００１９】
下記に、出願人は図１−３と上記記述した本出願の断熱手袋の出し入れ装置の具体的な構成を参考し、本出願の断熱手袋の出し入れ装置の使用方法を詳しく紹介する：
【００２０】
断熱手袋を使い終わると、手袋の表面温度が高く、手を前記置き溝４２の中に插入され、前記長バー４１をプッシュし上昇させ、これにより前記水平バー５３をプッシュし回転させ、前記水平バー５３が前記小プラグ３５を前記通電穴５１から押し出し、手袋が前記熱伝導ブロック５０と接触し、指が前記挟みバー１２の間に位置し、前記熱伝導ブロック５０の熱伝導により前記温度溝１１の中にある気体を膨脹させ、これにより前記密封ブロック１３をプッシュし上昇させ、前記密封ブロック１３が前記縦バー１４を駆動し上昇させ、これにより前記大プラグ２３が上昇し前記大コンセント２６の中に插入され、前記大プラグ２３が通電し、前記電線２８の伝導により、前記電気磁石３２が通電し磁力を発生し、前記鉄ブロック１８を吸い上昇させ、前記鉄ブロック１８が前記斜めバー３３を引っ張って揺動させ、これにより前記挟みバー１２が運動し手袋を挟み、このとき、手を手袋から抜き取り、手袋が挟み力の作用のもとで前記置き溝４２の中に残り、前記弾力ばね５７がリセットし、前記弾力ブロック３４をプッシュし上昇させ、これにより前記縦溝２５をプッシュし前記通電穴５１の中に插入し、前記電線２８の伝導により前記駆動モータ５６が通電して作動し、前記ブロー軸５５を駆動し回転させ、前記ブロー軸５５が前記ファン４０を駆動し回転させ、手袋の温度を下げる。
【００２１】
本発明の有益的な効果は：本装置は構造が簡単で、操作が便利であり、使い終わったばかりの高い温度がある外表面を持つ断熱手袋を外し、また保存と温度を下げることに便利であり、使用者の安全を保証すると同時に、断熱手袋が快速に使われ続けることができ、作業効率を高める。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020176358.tif 000003
【図２】
2020176358.tif 000004
【図３】
2020176358.tif 000005
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
図１の示した方向に基づく断熱手袋の出し入れ装置であって、保存器を含み、前記保存器の中には感応機構が設置され、前記感応機構が電池、熱伝導ブロック、大コンセント及び大プラグを含み、前記電池が装置の電源として装置に電気を提供し、前記熱伝導ブロックが熱を伝導することができ、前記熱伝導ブロックの熱伝導により前記大プラグを駆動し前記大コンセントに插入して通電させ、前記感応機構がまた電線を含み、前記電線が装置内の電流を伝導することができ、前記感応機構がまた電気磁石を含み、前記感応機構の下側には挟み機構が設置され、前記挟み機構が鉄ブロックと挟みバーを含み、前記電気磁石が通電し前記鉄ブロックを吸い上昇させることができ、これにより両側の前記挟みバーを駆動し互いに近づかせ、前記挟み機構の右側には防護機構が設置され、前記防護機構が插入溝と插入穴を含み、前記插入溝と前記插入穴との係合により装置の高さを調整でき、
前記感応機構は縦バーを含み、前記保存器の中には温度溝が設置され、前記温度溝の上端壁の中には台形溝が設置され、前記温度溝の右端壁には熱伝導ブロックが嵌めて設置され、前記温度溝の中には密封ブロックがスライドできるように設置され、前記密封ブロックの上端面には縦バーが固定され、前記縦バーの上端面の中には弾性溝が設置され、前記弾性溝の下端壁には弾性ばねが固定され、前記弾性ばねの上端には弾性ブロックが固定され、前記台形溝の後端壁には縦溝が設置され、前記縦溝の中には縦ブロックが設置され、前記縦溝の中にある縦ブロックの下端面には下端が前記縦溝の下端壁と固定的に連結される縦ばねが左右に対称的に固定的に連結され、前記縦ブロックの前端面には大プラグが固定され、
また、前記大プラグの上側には前記台形溝の後端壁と固定される電池が設置され、前記電池の下端面の中には大コンセントが設置され、前記大プラグの右側には前記台形溝と固定される電気磁石が設置され、前記電気磁石と前記大プラグとが電線により連通しており、前記台形溝の後端壁にはコンセントが固定され、前記コンセントと前記電気磁石とが電線により連通しており、前記コンセントの下端面の中には通電穴が設置され、前記台形溝の後端壁には弾力溝が設置され、前記弾力溝の下端壁には弾力ばねが固定され、前記弾力ばねの上端には前記弾力溝とスライドできる弾力ブロックが固定され、前記弾力ブロックの前端面には小プラグが固定され、前記台形溝の下端壁には前記小プラグと前記電線により連結される駆動モータが固定され、前記台形溝の下端壁の中にはブロー溝が設置され、前記駆動モータの下端面には下端が前記ブロー溝の中に位置しているブロー軸が動力が伝達できるように連結され、前記ブロー軸にはファンが固定されており、
前記防護機構は插入溝を含み、前記保存器の下端面には支持バーが固定され、前記支持バーの外端には延長ロッドがスライドできるように設置され、前記支持バーの中には四つの插入穴が設置され、前記延長ロッドの中には插入溝が設置され、前記插入溝の中にはロックブロックがスライドできるように設置され、前記台形溝の後端壁には定位軸が回転できるように設置され、前記定位軸には水平バーが固定的に設置され、前記台形溝の下端壁には昇降溝が設置され、前記昇降溝の左端壁には移動溝が設置され、前記移動溝の中には移動ブロックがスライドできるように設置され、前記移動ブロックの右端が前記昇降溝の中に位置し、かつ前記移動ブロックの右端には長バーが固定され、前記長バーの上端が前記台形溝の中に位置しており、
前記挟み機構は手袋を挟持できる挟みバーを含み、前記温度溝の右端壁の中には置き溝が設置され、前記置き溝と前記台形溝とが広溝により連通しており、前記台形溝の後端壁には磁性溝が設置され、前記磁性溝の中には運動ブロックがスライドできるように設置され、前記運動ブロックの前端面には鉄ブロックが固定され、前記鉄ブロックの右端面には四つの定位バーが均一に固定的に設置され、前記定位バーには斜めバーが回転できるように設置され、前記斜めバーの中には伝動軸が回転できるように設置され、前記置き溝の下端壁には四つの運動溝が均一に設置され、前記運動溝の中には横向きブロックがスライドできるように設置され、前記横向きブロックと前記運動溝の片側端壁とが挟みばねにより固定的に連結され、前記横向きブロックの上端面には上端が前記伝動軸と回転する挟みバーが固定されており、
断熱手袋を使い終わると、手袋の表面温度が高く、手を前記置き溝の中に插入され、前記長バーをプッシュし上昇させ、これにより前記水平バーをプッシュし回転させ、前記水平バーが前記小プラグを前記通電穴から押し出し、手袋が前記熱伝導ブロックと接触し、指が前記挟みバーの間に位置し、前記熱伝導ブロックの熱伝導により前記温度溝の中にある気体を膨脹させ、これにより前記密封ブロックをプッシュし上昇させ、前記密封ブロックが前記縦バーを駆動し上昇させ、これにより前記大プラグが上昇し前記大コンセントの中に插入され、前記大プラグが通電し、前記電線の伝導により、前記電気磁石が通電し磁力を発生し、前記鉄ブロックを吸い上昇させ、前記鉄ブロックが前記斜めバーを引っ張って揺動させ、これにより前記挟みバーが運動し手袋を挟み、このとき、手を手袋から抜き取り、手袋が挟み力の作用のもとで前記置き溝の中に残り、前記弾力ばねがリセットし、前記弾力ブロックをプッシュし上昇させ、これにより前記縦溝をプッシュし前記通電穴の中に插入し、前記電線の伝導により前記駆動モータが通電して作動し、前記ブロー軸を駆動し回転させ、前記ブロー軸が前記ファンを駆動し回転させ、手袋の温度を下げることを特徴とする断熱手袋の出し入れ装置。
【手続補正２】
【補正対象書類名】明細書
【補正対象項目名】全文
【補正方法】変更
【補正の内容】
【発明の詳細な説明】
【技術分野】
【０００１】
本発明は手袋分野を取り上げて、具体的には断熱手袋の出し入れ装置である。
【背景技術】
【０００２】
断熱手袋は高温作業に使用される手袋であり、熱を防ぎ両手を保護する作用があり、しかし既存の断熱手袋の出し入れが面倒であり、その表面の温度が高く、直ちに外せば作業者に傷害を与える可能性があり、時間を無駄にする。
【先行技術文献】
【特許文献】
【０００３】
【特許文献１】中国特許出願公開第１０６０４４０３９号明細書
【発明の概要】
【発明が解決しようとする課題】
【０００４】
本発明の目的は断熱手袋の出し入れ装置を提供し、上記の現在の技術中の問題を解決するのである。
【課題を解決するための手段】
【０００５】
上記の課題を解決するため、本発明は以下の技術プランを採用する：断熱手袋の出し入れ装置は、保存器を含み、前記保存器の中には感応機構が設置され、前記感応機構が電池、熱伝導ブロック、大コンセント及び大プラグを含み、前記電池が装置の電源として装置に電気を提供し、前記熱伝導ブロックが熱を伝導することができ、前記熱伝導ブロックの熱伝導により前記大プラグを駆動し前記大コンセントに插入して通電させ、前記感応機構がまた電線を含み、前記電線が装置内の電流を伝導することができ、前記感応機構がまた電気磁石を含み、前記感応機構の下側には挟み機構が設置され、前記挟み機構が鉄ブロックと挟みバーを含み、前記電気磁石が通電し前記鉄ブロックを吸い上昇させることができ、これにより両側の前記挟みバーを駆動し互いに近づかせ、前記挟み機構の右側には防護機構が設置され、前記防護機構が插入溝と插入穴を含み、前記插入溝と前記插入穴との係合により装置の高さを調整できる。
【０００６】
優選的には、前記感応機構は縦バーを含み、前記保存器の中には温度溝が設置され、前記温度溝の上端壁の中には台形溝が設置され、前記温度溝の右端壁には熱伝導ブロックが嵌めて設置され、前記温度溝の中には密封ブロックがスライドできるように設置され、前記密封ブロックの上端面には縦バーが固定され、前記縦バーの上端面の中には弾性溝が設置され、前記弾性溝の下端壁には弾性ばねが固定され、前記弾性ばねの上端には弾性ブロックが固定され、前記台形溝の後端壁には縦溝が設置され、前記縦溝の中には縦ブロックが設置され、前記縦溝の中にある縦ブロックの下端面には下端が前記縦溝の下端壁と固定的に連結される縦ばねが左右に対称的に固定的に連結され、前記縦ブロックの前端面には大プラグが固定される。
【０００７】
また、前記大プラグの上側には前記台形溝の後端壁と固定される電池が設置され、前記電池の下端面の中には大コンセントが設置され、前記大プラグの右側には前記台形溝と固定される電気磁石が設置され、前記電気磁石と前記大プラグとが電線により連通しており、前記台形溝の後端壁にはコンセントが固定され、前記コンセントと前記電気磁石とが電線により連通しており、前記コンセントの下端面の中には通電穴が設置され、前記台形溝の後端壁には弾力溝が設置され、前記弾力溝の下端壁には弾力ばねが固定され、前記弾力ばねの上端には前記弾力溝とスライドできる弾力ブロックが固定され、前記弾力ブロックの前端面には小プラグが固定され、前記台形溝の下端壁には前記小プラグと前記電線により連結される駆動モータが固定され、前記台形溝の下端壁の中にはブロー溝が設置され、前記駆動モータの下端面には下端が前記ブロー溝の中に位置しているブロー軸が動力が伝達できるように連結され、前記ブロー軸にはファンが固定される。
【０００８】
優選的には、前記防護機構は插入溝を含み、前記保存器の下端面には支持バーが固定され、前記支持バーの外端には延長ロッドがスライドできるように設置され、前記支持バーの中には四つの插入穴が設置され、前記延長ロッドの中には插入溝が設置され、前記插入溝の中にはロックブロックがスライドできるように設置され、前記台形溝の後端壁には定位軸が回転できるように設置され、前記定位軸には水平バーが固定的に設置され、前記台形溝の下端壁には昇降溝が設置され、前記昇降溝の左端壁には移動溝が設置され、前記移動溝の中には移動ブロックがスライドできるように設置され、前記移動ブロックの右端が前記昇降溝の中に位置し、かつ前記移動ブロックの右端には長バーが固定され、前記長バーの上端が前記台形溝の中に位置している。
【０００９】
優選的には、前記挟み機構は手袋を挟持できる挟みバーを含み、前記温度溝の右端壁の中には置き溝が設置され、前記置き溝と前記台形溝とが広溝により連通しており、前記台形溝の後端壁には磁性溝が設置され、前記磁性溝の中には運動ブロックがスライドできるように設置され、前記運動ブロックの前端面には鉄ブロックが固定され、前記鉄ブロックの右端面には四つの定位バーが均一に固定的に設置され、前記定位バーには斜めバーが回転できるように設置され、前記斜めバーの中には伝動軸が回転できるように設置され、前記置き溝の下端壁には四つの運動溝が均一に設置され、前記運動溝の中には横向きブロックがスライドできるように設置され、前記横向きブロックと前記運動溝の片側端壁とが挟みばねにより固定的に連結され、前記横向きブロックの上端面には上端が前記伝動軸と回転する挟みバーが固定される。
【発明の効果】
【００１０】
本発明の有益的な効果は：本装置は構造が簡単で、操作が便利であり、使い終わったばかりの高い温度がある外表面を持つ断熱手袋を外し、また保存と温度を下げることに便利であり、使用者の安全を保証すると同時に、断熱手袋が快速に使われ続けることができ、作業効率を高める。
【図面の簡単な説明】
【００１１】
下記に図１−３をあわせて本発明について詳しく説明し、便利に説明するために、下記の方向を以下のように規定する：以下に述べる上下左右前後の方向と図１の自身投影関係の上下左右前後の方向とが一致である。
【００１２】
【図１】図１は本発明の断熱手袋の出し入れ装置の全体全断面の正面構造概略図
【図２】図２は本発明の断熱手袋の出し入れ装置の小プラグの拡大構造概略図
【図３】図３は本発明の断熱手袋の出し入れ装置の横向きブロックの右面断面構造概    略図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
図１−３に示すように、本発明の断熱手袋の出し入れ装置は、保存器１０を含み、前記保存器１０の中には感応機構７０が設置され、前記感応機構７０が電池２７、熱伝導ブロック５０、大コンセント２６及び大プラグ２３を含み、前記電池２７が装置の電源として装置に電気を提供し、前記熱伝導ブロック５０が熱を伝導することができ、前記熱伝導ブロック５０の熱伝導により前記大プラグ２３を駆動し前記大コンセント２６に插入して通電させ、前記感応機構７０がまた電線２８を含み、前記電線２８が装置内の電流を伝導することができ、前記感応機構７０がまた電気磁石３２を含み、前記感応機構７０の下側には挟み機構７２が設置され、前記挟み機構７２が鉄ブロック１８と挟みバー１２を含み、前記電気磁石３２が通電し前記鉄ブロック１８を吸い上昇させることができ、これにより両側の前記挟みバー１２を駆動し互いに近づかせ、前記挟み機構７２の右側には防護機構７１が設置され、前記防護機構７１が插入溝４７と插入穴４４を含み、前記插入溝４７と前記插入穴４４との係合により装置の高さを調整できる。
【００１５】
有益的には、前記感応機構７０は縦バー１４を含み、前記保存器１０の中には温度溝１１が設置され、前記温度溝１１の上端壁の中には台形溝３１が設置され、前記温度溝１１の右端壁には熱伝導ブロック５０が嵌めて設置され、前記温度溝１１の中には密封ブロック１３がスライドできるように設置され、前記密封ブロック１３の上端面には縦バー１４が固定され、前記縦バー１４の上端面の中には弾性溝１９が設置され、前記弾性溝１９の下端壁には弾性ばね２０が固定され、前記弾性ばね２０の上端には弾性ブロック２１が固定され、前記台形溝３１の後端壁には縦溝２５が設置され、前記縦溝２５の中には縦ブロック２４が設置され、前記縦溝２５の中にある縦ブロック２４の下端面には下端が前記縦溝２５の下端壁と固定的に連結される縦ばね２２が左右に対称的に固定的に連結され、前記縦ブロック２４の前端面には大プラグ２３が固定される。
【００１６】
また、前記大プラグ２３の上側には前記台形溝３１の後端壁と固定される電池２７が設置され、前記電池２７の下端面の中には大コンセント２６が設置され、前記大プラグ２３の右側には前記台形溝３１と固定される電気磁石３２が設置され、前記電気磁石３２と前記大プラグ２３とが電線２８により連通しており、前記台形溝３１の後端壁にはコンセント５２が固定され、前記コンセント５２と前記電気磁石３２とが電線２８により連通しており、前記コンセント５２の下端面の中には通電穴５１が設置され、前記台形溝３１の後端壁には弾力溝５９が設置され、前記弾力溝５９の下端壁には弾力ばね５７が固定され、前記弾力ばね５７の上端には前記弾力溝５９とスライドできる弾力ブロック３４が固定され、前記弾力ブロック３４の前端面には小プラグ３５が固定され、前記台形溝３１の下端壁には前記小プラグ３５と前記電線２８により連結される駆動モータ５６が固定され、前記台形溝３１の下端壁の中にはブロー溝３９が設置され、前記駆動モータ５６の下端面には下端が前記ブロー溝３９の中に位置しているブロー軸５５が動力が伝達できるように連結され、前記ブロー軸５５にはファン４０が固定される。
【００１７】
有益的には、前記防護機構７１は插入溝４７を含み、前記保存器１０の下端面には支持バー４３が固定され、前記支持バー４３の外端には延長ロッド４５がスライドできるように設置され、前記支持バー４３の中には四つの插入穴４４が設置され、前記延長ロッド４５の中には插入溝４７が設置され、前記插入溝４７の中にはロックブロック４６がスライドできるように設置され、前記台形溝３１の後端壁には定位軸５４が回転できるように設置され、前記定位軸５４には水平バー５３が固定的に設置され、前記台形溝３１の下端壁には昇降溝３８が設置され、前記昇降溝３８の左端壁には移動溝３６が設置され、前記移動溝３６の中には移動ブロック３７がスライドできるように設置され、前記移動ブロック３７の右端が前記昇降溝３８の中に位置し、かつ前記移動ブロック３７の右端には長バー４１が固定され、前記長バー４１の上端が前記台形溝３１の中に位置している。
【００１８】
有益的には、前記挟み機構７２は手袋を挟持できる挟みバー１２を含み、前記温度溝１１の右端壁の中には置き溝４２が設置され、前記置き溝４２と前記台形溝３１とが広溝１５により連通しており、前記台形溝３１の後端壁には磁性溝３０が設置され、前記磁性溝３０の中には運動ブロック２９がスライドできるように設置され、前記運動ブロック２９の前端面には鉄ブロック１８が固定され、前記鉄ブロック１８の右端面には四つの定位バー１７が均一に固定的に設置され、前記定位バー１７には斜めバー３３が回転できるように設置され、前記斜めバー３３の中には伝動軸１６が回転できるように設置され、前記置き溝４２の下端壁には四つの運動溝４９が均一に設置され、前記運動溝４９の中には横向きブロック４８がスライドできるように設置され、前記横向きブロック４８と前記運動溝４９の片側端壁とが挟みばね５８により固定的に連結され、前記横向きブロック４８の上端面には上端が前記伝動軸１６と回転する挟みバー１２が固定される。
【００１９】
下記に、出願人は図１−３と上記記述した本出願の断熱手袋の出し入れ装置の具体的な構成を参考し、本出願の断熱手袋の出し入れ装置の使用方法を詳しく紹介する：
【００２０】
断熱手袋を使い終わると、手袋の表面温度が高く、手を前記置き溝４２の中に插入され、前記長バー４１をプッシュし上昇させ、これにより前記水平バー５３をプッシュし回転させ、前記水平バー５３が前記小プラグ３５を前記通電穴５１から押し出し、手袋が前記熱伝導ブロック５０と接触し、指が前記挟みバー１２の間に位置し、前記熱伝導ブロック５０の熱伝導により前記温度溝１１の中にある気体を膨脹させ、これにより前記密封ブロック１３をプッシュし上昇させ、前記密封ブロック１３が前記縦バー１４を駆動し上昇させ、これにより前記大プラグ２３が上昇し前記大コンセント２６の中に插入され、前記大プラグ２３が通電し、前記電線２８の伝導により、前記電気磁石３２が通電し磁力を発生し、前記鉄ブロック１８を吸い上昇させ、前記鉄ブロック１８が前記斜めバー３３を引っ張って揺動させ、これにより前記挟みバー１２が運動し手袋を挟み、このとき、手を手袋から抜き取り、手袋が挟み力の作用のもとで前記置き溝４２の中に残り、前記弾力ばね５７がリセットし、前記弾力ブロック３４をプッシュし上昇させ、これにより前記縦溝２５をプッシュし前記通電穴５１の中に插入し、前記電線２８の伝導により前記駆動モータ５６が通電して作動し、前記ブロー軸５５を駆動し回転させ、前記ブロー軸５５が前記ファン４０を駆動し回転させ、手袋の温度を下げる。
【００２１】
本発明の有益的な効果は：本装置は構造が簡単で、操作が便利であり、使い終わったばかりの高い温度がある外表面を持つ断熱手袋を外し、また保存と温度を下げることに便利であり、使用者の安全を保証すると同時に、断熱手袋が快速に使われ続けることができ、作業効率を高める。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
断熱手袋の出し入れ装置であって、保存器を含み、前記保存器の中には感応機構が設置され、前記感応機構が電池、熱伝導ブロック、大コンセント及び大プラグを含み、前記電池が装置の電源として装置に電気を提供し、前記熱伝導ブロックが熱を伝導することができ、前記熱伝導ブロックの熱伝導により前記大プラグを駆動し前記大コンセントに插入して通電させ、前記感応機構がまた電線を含み、前記電線が装置内の電流を伝導することができ、前記感応機構がまた電気磁石を含み、前記感応機構の下側には挟み機構が設置され、前記挟み機構が鉄ブロックと挟みバーを含み、前記電気磁石が通電し前記鉄ブロックを吸い上昇させることができ、これにより両側の前記挟みバーを駆動し互いに近づかせ、前記挟み機構の右側には防護機構が設置され、前記防護機構が插入溝と插入穴を含み、前記插入溝と前記插入穴との係合により装置の高さを調整でき、
前記感応機構は縦バーを含み、前記保存器の中には温度溝が設置され、前記温度溝の上端壁の中には台形溝が設置され、前記温度溝の右端壁には熱伝導ブロックが嵌めて設置され、前記温度溝の中には密封ブロックがスライドできるように設置され、前記密封ブロックの上端面には縦バーが固定され、前記縦バーの上端面の中には弾性溝が設置され、前記弾性溝の下端壁には弾性ばねが固定され、前記弾性ばねの上端には弾性ブロックが固定され、前記台形溝の後端壁には縦溝が設置され、前記縦溝の中には縦ブロックが設置され、前記縦溝の中にある縦ブロックの下端面には下端が前記縦溝の下端壁と固定的に連結される縦ばねが左右に対称的に固定的に連結され、前記縦ブロックの前端面には大プラグが固定され、
また、前記大プラグの上側には前記台形溝の後端壁と固定される電池が設置され、前記電池の下端面の中には大コンセントが設置され、前記大プラグの右側には前記台形溝と固定される電気磁石が設置され、前記電気磁石と前記大プラグとが電線により連通しており、前記台形溝の後端壁にはコンセントが固定され、前記コンセントと前記電気磁石とが電線により連通しており、前記コンセントの下端面の中には通電穴が設置され、前記台形溝の後端壁には弾力溝が設置され、前記弾力溝の下端壁には弾力ばねが固定され、前記弾力ばねの上端には前記弾力溝とスライドできる弾力ブロックが固定され、前記弾力ブロックの前端面には小プラグが固定され、前記台形溝の下端壁には前記小プラグと前記電線により連結される駆動モータが固定され、前記台形溝の下端壁の中にはブロー溝が設置され、前記駆動モータの下端面には下端が前記ブロー溝の中に位置しているブロー軸が動力が伝達できるように連結され、前記ブロー軸にはファンが固定されており、
前記防護機構は插入溝を含み、前記保存器の下端面には支持バーが固定され、前記支持バーの外端には延長ロッドがスライドできるように設置され、前記支持バーの中には四つの插入穴が設置され、前記延長ロッドの中には插入溝が設置され、前記插入溝の中にはロックブロックがスライドできるように設置され、前記台形溝の後端壁には定位軸が回転できるように設置され、前記定位軸には水平バーが固定的に設置され、前記台形溝の下端壁には昇降溝が設置され、前記昇降溝の左端壁には移動溝が設置され、前記移動溝の中には移動ブロックがスライドできるように設置され、前記移動ブロックの右端が前記昇降溝の中に位置し、かつ前記移動ブロックの右端には長バーが固定され、前記長バーの上端が前記台形溝の中に位置しており、
前記挟み機構は手袋を挟持できる挟みバーを含み、前記温度溝の右端壁の中には置き溝が設置され、前記置き溝と前記台形溝とが広溝により連通しており、前記台形溝の後端壁には磁性溝が設置され、前記磁性溝の中には運動ブロックがスライドできるように設置され、前記運動ブロックの前端面には鉄ブロックが固定され、前記鉄ブロックの右端面には四つの定位バーが均一に固定的に設置され、前記定位バーには斜めバーが回転できるように設置され、前記斜めバーの中には伝動軸が回転できるように設置され、前記置き溝の下端壁には四つの運動溝が均一に設置され、前記運動溝の中には横向きブロックがスライドできるように設置され、前記横向きブロックと前記運動溝の片側端壁とが挟みばねにより固定的に連結され、前記横向きブロックの上端面には上端が前記伝動軸と回転する挟みバーが固定されており、
断熱手袋を使い終わると、手袋の表面温度が高く、手を前記置き溝の中に插入され、前記長バーをプッシュし上昇させ、これにより前記水平バーをプッシュし回転させ、前記水平バーが前記小プラグを前記通電穴から押し出し、手袋が前記熱伝導ブロックと接触し、指が前記挟みバーの間に位置し、前記熱伝導ブロックの熱伝導により前記温度溝の中にある気体を膨脹させ、これにより前記密封ブロックをプッシュし上昇させ、前記密封ブロックが前記縦バーを駆動し上昇させ、これにより前記大プラグが上昇し前記大コンセントの中に插入され、前記大プラグが通電し、前記電線の伝導により、前記電気磁石が通電し磁力を発生し、前記鉄ブロックを吸い上昇させ、前記鉄ブロックが前記斜めバーを引っ張って揺動させ、これにより前記挟みバーが運動し手袋を挟み、このとき、手を手袋から抜き取り、手袋が挟み力の作用のもとで前記置き溝の中に残り、前記弾力ばねがリセットし、前記弾力ブロックをプッシュし上昇させ、これにより前記縦溝をプッシュし前記通電穴の中に插入し、前記電線の伝導により前記駆動モータが通電して作動し、前記ブロー軸を駆動し回転させ、前記ブロー軸が前記ファンを駆動し回転させ、手袋の温度を下げることを特徴とする断熱手袋の出し入れ装置。
【手続補正２】
【補正対象書類名】明細書
【補正対象項目名】全文
【補正方法】変更
【補正の内容】
【発明の詳細な説明】
【技術分野】
【０００１】
本発明は手袋分野を取り上げて、具体的には断熱手袋の出し入れ装置である。
【背景技術】
【０００２】
断熱手袋は高温作業に使用される手袋であり、熱を防ぎ両手を保護する作用があり、しかし既存の断熱手袋の出し入れが面倒であり、その表面の温度が高く、直ちに外せば作業者に傷害を与える可能性があり、時間を無駄にする。
【先行技術文献】
【特許文献】
【０００３】
【特許文献１】中国特許出願公開第１０６０４４０３９号明細書
【発明の概要】
【発明が解決しようとする課題】
【０００４】
本発明の目的は断熱手袋の出し入れ装置を提供し、上記の現在の技術中の問題を解決するのである。
【課題を解決するための手段】
【０００５】
上記の課題を解決するため、本発明は以下の技術プランを採用する：断熱手袋の出し入れ装置は、保存器を含み、前記保存器の中には感応機構が設置され、前記感応機構が電池、熱伝導ブロック、大コンセント及び大プラグを含み、前記電池が装置の電源として装置に電気を提供し、前記熱伝導ブロックが熱を伝導することができ、前記熱伝導ブロックの熱伝導により前記大プラグを駆動し前記大コンセントに插入して通電させ、前記感応機構がまた電線を含み、前記電線が装置内の電流を伝導することができ、前記感応機構がまた電気磁石を含み、前記感応機構の下側には挟み機構が設置され、前記挟み機構が鉄ブロックと挟みバーを含み、前記電気磁石が通電し前記鉄ブロックを吸い上昇させることができ、これにより両側の前記挟みバーを駆動し互いに近づかせ、前記挟み機構の右側には防護機構が設置され、前記防護機構が插入溝と插入穴を含み、前記插入溝と前記插入穴との係合により装置の高さを調整できる。
【０００６】
優選的には、前記感応機構は縦バーを含み、前記保存器の中には温度溝が設置され、前記温度溝の上端壁の中には台形溝が設置され、前記温度溝の右端壁には熱伝導ブロックが嵌めて設置され、前記温度溝の中には密封ブロックがスライドできるように設置され、前記密封ブロックの上端面には縦バーが固定され、前記縦バーの上端面の中には弾性溝が設置され、前記弾性溝の下端壁には弾性ばねが固定され、前記弾性ばねの上端には弾性ブロックが固定され、前記台形溝の後端壁には縦溝が設置され、前記縦溝の中には縦ブロックが設置され、前記縦溝の中にある縦ブロックの下端面には下端が前記縦溝の下端壁と固定的に連結される縦ばねが左右に対称的に固定的に連結され、前記縦ブロックの前端面には大プラグが固定される。
【０００７】
また、前記大プラグの上側には前記台形溝の後端壁と固定される電池が設置され、前記電池の下端面の中には大コンセントが設置され、前記大プラグの右側には前記台形溝と固定される電気磁石が設置され、前記電気磁石と前記大プラグとが電線により連通しており、前記台形溝の後端壁にはコンセントが固定され、前記コンセントと前記電気磁石とが電線により連通しており、前記コンセントの下端面の中には通電穴が設置され、前記台形溝の後端壁には弾力溝が設置され、前記弾力溝の下端壁には弾力ばねが固定され、前記弾力ばねの上端には前記弾力溝とスライドできる弾力ブロックが固定され、前記弾力ブロックの前端面には小プラグが固定され、前記台形溝の下端壁には前記小プラグと前記電線により連結される駆動モータが固定され、前記台形溝の下端壁の中にはブロー溝が設置され、前記駆動モータの下端面には下端が前記ブロー溝の中に位置しているブロー軸が動力が伝達できるように連結され、前記ブロー軸にはファンが固定される。
【０００８】
優選的には、前記防護機構は插入溝を含み、前記保存器の下端面には支持バーが固定され、前記支持バーの外端には延長ロッドがスライドできるように設置され、前記支持バーの中には四つの插入穴が設置され、前記延長ロッドの中には插入溝が設置され、前記插入溝の中にはロックブロックがスライドできるように設置され、前記台形溝の後端壁には定位軸が回転できるように設置され、前記定位軸には水平バーが固定的に設置され、前記台形溝の下端壁には昇降溝が設置され、前記昇降溝の左端壁には移動溝が設置され、前記移動溝の中には移動ブロックがスライドできるように設置され、前記移動ブロックの右端が前記昇降溝の中に位置し、かつ前記移動ブロックの右端には長バーが固定され、前記長バーの上端が前記台形溝の中に位置している。
【０００９】
優選的には、前記挟み機構は手袋を挟持できる挟みバーを含み、前記温度溝の右端壁の中には置き溝が設置され、前記置き溝と前記台形溝とが広溝により連通しており、前記台形溝の後端壁には磁性溝が設置され、前記磁性溝の中には運動ブロックがスライドできるように設置され、前記運動ブロックの前端面には鉄ブロックが固定され、前記鉄ブロックの右端面には四つの定位バーが均一に固定的に設置され、前記定位バーには斜めバーが回転できるように設置され、前記斜めバーの中には伝動軸が回転できるように設置され、前記置き溝の下端壁には四つの運動溝が均一に設置され、前記運動溝の中には横向きブロックがスライドできるように設置され、前記横向きブロックと前記運動溝の片側端壁とが挟みばねにより固定的に連結され、前記横向きブロックの上端面には上端が前記伝動軸と回転する挟みバーが固定される。
【発明の効果】
【００１０】
本発明の有益的な効果は：本装置は構造が簡単で、操作が便利であり、使い終わったばかりの高い温度がある外表面を持つ断熱手袋を外し、また保存と温度を下げることに便利であり、使用者の安全を保証すると同時に、断熱手袋が快速に使われ続けることができ、作業効率を高める。
【図面の簡単な説明】
【００１１】
本願に記載の各方向が、図１と同じ向きに装置を見た際の方向である。
【００１２】
【図１】図１は本発明の断熱手袋の出し入れ装置の全体全断面の正面構造概略図
【図２】図２は本発明の断熱手袋の出し入れ装置の小プラグの拡大構造概略図
【図３】図３は本発明の断熱手袋の出し入れ装置の横向きブロックの右面断面構造概    略図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
図１−３に示すように、本発明の断熱手袋の出し入れ装置は、保存器１０を含み、前記保存器１０の中には感応機構７０が設置され、前記感応機構７０が電池２７、熱伝導ブロック５０、大コンセント２６及び大プラグ２３を含み、前記電池２７が装置の電源として装置に電気を提供し、前記熱伝導ブロック５０が熱を伝導することができ、前記熱伝導ブロック５０の熱伝導により前記大プラグ２３を駆動し前記大コンセント２６に插入して通電させ、前記感応機構７０がまた電線２８を含み、前記電線２８が装置内の電流を伝導することができ、前記感応機構７０がまた電気磁石３２を含み、前記感応機構７０の下側には挟み機構７２が設置され、前記挟み機構７２が鉄ブロック１８と挟みバー１２を含み、前記電気磁石３２が通電し前記鉄ブロック１８を吸い上昇させることができ、これにより両側の前記挟みバー１２を駆動し互いに近づかせ、前記挟み機構７２の右側には防護機構７１が設置され、前記防護機構７１が插入溝４７と插入穴４４を含み、前記插入溝４７と前記插入穴４４との係合により装置の高さを調整できる。
【００１５】
有益的には、前記感応機構７０は縦バー１４を含み、前記保存器１０の中には温度溝１１が設置され、前記温度溝１１の上端壁の中には台形溝３１が設置され、前記温度溝１１の右端壁には熱伝導ブロック５０が嵌めて設置され、前記温度溝１１の中には密封ブロック１３がスライドできるように設置され、前記密封ブロック１３の上端面には縦バー１４が固定され、前記縦バー１４の上端面の中には弾性溝１９が設置され、前記弾性溝１９の下端壁には弾性ばね２０が固定され、前記弾性ばね２０の上端には弾性ブロック２１が固定され、前記台形溝３１の後端壁には縦溝２５が設置され、前記縦溝２５の中には縦ブロック２４が設置され、前記縦溝２５の中にある縦ブロック２４の下端面には下端が前記縦溝２５の下端壁と固定的に連結される縦ばね２２が左右に対称的に固定的に連結され、前記縦ブロック２４の前端面には大プラグ２３が固定される。
【００１６】
また、前記大プラグ２３の上側には前記台形溝３１の後端壁と固定される電池２７が設置され、前記電池２７の下端面の中には大コンセント２６が設置され、前記大プラグ２３の右側には前記台形溝３１と固定される電気磁石３２が設置され、前記電気磁石３２と前記大プラグ２３とが電線２８により連通しており、前記台形溝３１の後端壁にはコンセント５２が固定され、前記コンセント５２と前記電気磁石３２とが電線２８により連通しており、前記コンセント５２の下端面の中には通電穴５１が設置され、前記台形溝３１の後端壁には弾力溝５９が設置され、前記弾力溝５９の下端壁には弾力ばね５７が固定され、前記弾力ばね５７の上端には前記弾力溝５９とスライドできる弾力ブロック３４が固定され、前記弾力ブロック３４の前端面には小プラグ３５が固定され、前記台形溝３１の下端壁には前記小プラグ３５と前記電線２８により連結される駆動モータ５６が固定され、前記台形溝３１の下端壁の中にはブロー溝３９が設置され、前記駆動モータ５６の下端面には下端が前記ブロー溝３９の中に位置しているブロー軸５５が動力が伝達できるように連結され、前記ブロー軸５５にはファン４０が固定される。
【００１７】
有益的には、前記防護機構７１は插入溝４７を含み、前記保存器１０の下端面には支持バー４３が固定され、前記支持バー４３の外端には延長ロッド４５がスライドできるように設置され、前記支持バー４３の中には四つの插入穴４４が設置され、前記延長ロッド４５の中には插入溝４７が設置され、前記插入溝４７の中にはロックブロック４６がスライドできるように設置され、前記台形溝３１の後端壁には定位軸５４が回転できるように設置され、前記定位軸５４には水平バー５３が固定的に設置され、前記台形溝３１の下端壁には昇降溝３８が設置され、前記昇降溝３８の左端壁には移動溝３６が設置され、前記移動溝３６の中には移動ブロック３７がスライドできるように設置され、前記移動ブロック３７の右端が前記昇降溝３８の中に位置し、かつ前記移動ブロック３７の右端には長バー４１が固定され、前記長バー４１の上端が前記台形溝３１の中に位置している。
【００１８】
有益的には、前記挟み機構７２は手袋を挟持できる挟みバー１２を含み、前記温度溝１１の右端壁の中には置き溝４２が設置され、前記置き溝４２と前記台形溝３１とが広溝１５により連通しており、前記台形溝３１の後端壁には磁性溝３０が設置され、前記磁性溝３０の中には運動ブロック２９がスライドできるように設置され、前記運動ブロック２９の前端面には鉄ブロック１８が固定され、前記鉄ブロック１８の右端面には四つの定位バー１７が均一に固定的に設置され、前記定位バー１７には斜めバー３３が回転できるように設置され、前記斜めバー３３の中には伝動軸１６が回転できるように設置され、前記置き溝４２の下端壁には四つの運動溝４９が均一に設置され、前記運動溝４９の中には横向きブロック４８がスライドできるように設置され、前記横向きブロック４８と前記運動溝４９の片側端壁とが挟みばね５８により固定的に連結され、前記横向きブロック４８の上端面には上端が前記伝動軸１６と回転する挟みバー１２が固定される。
【００１９】
下記に、出願人は図１−３と上記記述した本出願の断熱手袋の出し入れ装置の具体的な構成を参考し、本出願の断熱手袋の出し入れ装置の使用方法を詳しく紹介する：
【００２０】
断熱手袋を使い終わると、手袋の表面温度が高く、手を前記置き溝４２の中に插入され、前記長バー４１をプッシュし上昇させ、これにより前記水平バー５３をプッシュし回転させ、前記水平バー５３が前記小プラグ３５を前記通電穴５１から押し出し、手袋が前記熱伝導ブロック５０と接触し、指が前記挟みバー１２の間に位置し、前記熱伝導ブロック５０の熱伝導により前記温度溝１１の中にある気体を膨脹させ、これにより前記密封ブロック１３をプッシュし上昇させ、前記密封ブロック１３が前記縦バー１４を駆動し上昇させ、これにより前記大プラグ２３が上昇し前記大コンセント２６の中に插入され、前記大プラグ２３が通電し、前記電線２８の伝導により、前記電気磁石３２が通電し磁力を発生し、前記鉄ブロック１８を吸い上昇させ、前記鉄ブロック１８が前記斜めバー３３を引っ張って揺動させ、これにより前記挟みバー１２が運動し手袋を挟み、このとき、手を手袋から抜き取り、手袋が挟み力の作用のもとで前記置き溝４２の中に残り、前記弾力ばね５７がリセットし、前記弾力ブロック３４をプッシュし上昇させ、これにより前記縦溝２５をプッシュし前記通電穴５１の中に插入し、前記電線２８の伝導により前記駆動モータ５６が通電して作動し、前記ブロー軸５５を駆動し回転させ、前記ブロー軸５５が前記ファン４０を駆動し回転させ、手袋の温度を下げる。
【００２１】
本発明の有益的な効果は：本装置は構造が簡単で、操作が便利であり、使い終わったばかりの高い温度がある外表面を持つ断熱手袋を外し、また保存と温度を下げることに便利であり、使用者の安全を保証すると同時に、断熱手袋が快速に使われ続けることができ、作業効率を高める。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。